(57)【要約】フレーム（６）と装置本体（５）との間に挟まれた容器（４）の中に銀行券（２）のようなシート物の積み重ね束をパッケージする装置（１）。銀行券は、第１投入口（３）から送り込まれて容器（４）の中に積み重ねられる。いっぱいになると、密閉部材（９）が第２投入口（１０）から挿入されて容器（４）の上にヒートシールされる。容器（４）は、プラスチック材料の中で、このパッケージ用装置の推進機構によって銀行券が容器の開口（１１）へ向かって搬送されるときに銀行券のための案内レール（２３）として作用する内方回動状翼部（１９，２０）と一体状に成形されている。これらの翼部には、推進機構によって容器の中に積み重ねられた銀行券（２）の端部を保持するための停止部として作用する胸壁（２４）がある。密閉部材（９）の下側面には、積み重ねられた銀行券に関するデータがプリンター（５１）によって印字される。パッケージされた容器は、密閉部材（９）が脆弱線（５３）に沿って破裂するようにそれを圧縮する装置によって開放される。
2007512192.tif 000002
【特許請求の範囲】
【請求項１】
特性的な金銭的価値のあるシート物の積み重ね束を容器（４）の中にパッケージするパッケージ用装置であって、
容器の中に積み重ねられるシート物（２）を供給する排出口（８；８９）、
容器における開口がシート物を排出口から受け入れることができるように、容器を受け入れる連結機構（５，６；８８）、
シート物を排出口へ推進するとともに、シート物を前記開口を通して容器の中へ供給してその中に積み重ねる推進機構（３２，３３，３９〜４１）、および
容器の内部に積み重ねられたシート物を封止してその封止された容器がこのパッケージ用装置の中にシート物をパッケージするためにそれを実質的に使用不能にしなければ開放することができないように、容器の前記開口の上に密閉部材（９）を封止する一方で前記連結機構によって保持される封止装置（５０）
を備えてなるパッケージ用装置。
【請求項２】
容器の中へ供給されたシート物に関連のあるデータを印字するプリンター（５１）を含んでいる請求項１に記載の装置。
【請求項３】
プリンター（５１）は、前記データを密閉部材（９）の上へ印字するように作動することができる請求項２に記載の装置。
【請求項４】
プリンター（５１）は、封止が容器の内側においてされた後に前記データを密閉部材（９）の側面の上へ印字するように作動することができる請求項３に記載の装置。
【請求項５】
シート物のための投入通路（３０）を含み、推進機構（３２，３３，３９〜４１）は、シート物をそれらの主要面が投入通路に沿って広がった状態に排出口（８；８９）まで推進するとともに、シート物をそれらの主要面に対して横断する方向に排出口を通して容器（４）の中へ推進し、それによって容器の中にシート物の積み重ね束を作り出すように作動することができる先行請求項のいずれかに記載の装置。
【請求項６】
シート物を受け入れる第１投入口（３）と密閉部材を受け入れる第２投入口（１０）とを含んでおり、推進機構は、シート物および密閉部材を排出口まで推進するように作動することができる先行請求項のいずれかに記載の装置。
【請求項７】
本体（５；８７）とこの本体に取り付けられた開放可能なフレーム（６，８８）とを含んでおり、フレームは、前記排出口（８；８９）を含んでいるとともに、開放されたときに容器（４）がフレームにおける排出口の中に嵌まり込むことができ、その後、本体に取り付けられたときに容器がフレームと本体との間に保持されるように構成されている請求項５または６に記載の装置。
【請求項８】
投入通路（３０）は、フレームと本体との間に広がっている請求項７に記載の装置。
【請求項９】
封止する手段が本体あるいはフレームにおける電気ヒーター（５０）からなっている請求項７または８に記載の装置。
【請求項１０】
シート物を検出するセンサー（３４）とそれらを計数する計数回路装置（３５）とを含んでいる先行請求項のいずれかに記載の装置。
【請求項１１】
真正なシート物と不正なシート物とを識別する識別回路装置（３５）を含んでいる先行請求項のいずれかに記載の装置。
【請求項１２】
識別回路装置（３５）は、真正なシート物へ特性的な金銭的価値を決定するように作動することができる請求項１１に記載の装置。
【請求項１３】
積み重ねられたシート物を容器の中で押し付けるばね装着状プラテン（１８，２１；６５）を含んでいる先行請求項のいずれかに記載の装置。
【請求項１４】
ばね装着状プラテン（６５）は、前記連結機構へ取り付けられた装着用箱の内部にある請求項１３に記載の装置。
【請求項１５】
容器（４）を含んでいる先行請求項のいずれかに記載の装置。
【請求項１６】
容器（４）は、シート物を受け入れる開口（１１）と、基部（１８）と、基部から開口へ向かって広がっている側壁（１３〜１６）と、開口の両側において側壁に連結された支持レール（１９，２０）とを備え、使用の際に、シート物（２）は、容器の中で排出口（８）を通して積み重ね構成に置かれたときに弾性的に変形する請求項１５に記載の装置。
【請求項１７】
支持レールは、それぞれが、シート物の側縁領域を投入通路に沿って案内する主案内面（２３）と、容器の中にあるときにシート物の積み重ね束が突き当たる停止部をもたらす停止領域（２４；７４〜７７）とを含んでいる請求項１６に記載の装置。
【請求項１８】
容器の中における積み重ね状シート物を支持レールへ付勢するばね（１７）を基部（１２）の中に含んでおり、容器は、前記開口を覆ってそこに封止された密閉部材を受け入れるように構成されている請求項１６または１７に記載の装置。
【請求項１９】
基部（１２）は、側壁（１３〜１６）と一体であって、ばねを設けるためにそこに弾性的に連結されている請求項１８に記載の装置。
【請求項２０】
側壁は、折り畳み状構成を有している請求項１６または１７に記載の装置。
【請求項２１】
（ｉ）  容器（４）の中に積み重ねられるシート物（２）を供給する排出口（８；            ８９）、
容器における開口がシート物を排出口から受け入れることができるように、          容器（４）を受け入れる連結機構（５，６；８８）、
シート物を排出口へ推進するとともに、シート物を前記開口を通して容器の          中へ供給してその中に積み重ねる推進機構（３２，３３，３９〜４１）、およ          び
容器の内部において積み重ねられたシート物を封止するために容器の前記開          口の上に密閉部材を封止する一方で前記連結機構によって保持される封止装置          （５０）
を備えているパッケージ用装置、
（ｉｉ）このパッケージ用装置によってシート物の積み重ね束で満たされるように構    成された少なくとも１つの容器（４）、および
（ｉｉｉ）この容器の上に前記封止装置によって封止される密閉部材（９）
を備えてなる、特性的な金銭的価値のあるシート物の積み重ね束をパッケージするパッケージ用システム。
【請求項２２】
請求項２１に記載のパッケージ用システムにおいて使用するために構成された容器（４）。
【請求項２３】
特性的な金銭的価値のあるシート物をパッケージする容器（４）であって、シート物を受け入れる開口（１１）と、基部（１２）と、基部から開口へ向かって広がっている側壁（１３〜１６）と、開口の両側において側壁に連結された支持レール（１９，２０）とを備えてなり、使用の際に、シート物は、容器の中で積み重ね構成に置かれたときに弾性的に変形し、容器は、いったん開放されるとシート物を積み重ねるために再使用することができないよう、前記開口を覆ってそこに封止された密閉部材（９）を受け入れるように構成されている容器（４）。
【請求項２４】
支持レール（１９，２０）は、開口の外側にある保存位置から開口の内部にある作用位置まで動くために前記側壁の両側にヒンジ留めされている請求項２３に記載の容器。
【請求項２５】
支持レール（１９，２０）は、一体型ヒンジ（２６；７３）によって開口（１１）の周りにおけるリップ（７）へ連結された翼部（１９，２０）を備えている請求項２４に記載の容器。
【請求項２６】
ヒンジは、リップから間隔を置いて保持された翼部を保持するための相隔てられたヒンジ領域（７３）を備えている請求項２５に記載の容器。
【請求項２７】
リップは、前記作用位置にあるときに翼部の上側面と同一平面上にあるヒンジ領域（７３）どうしの間に隆起部分（７’，７”）を含んでいる請求項２６に記載の容器。
【請求項２８】
支持レールは、容器の内部に積み重ねられるシート物の側縁領域を案内する主案内面（２３）と、容器の中にあるときにシート物の積み重ね束が突き当たる停止部をもたらす停止領域（２４；７４〜７７）とをそれぞれが含んでいる請求項２３〜２７のいずれか１つに記載の容器。
【請求項２９】
停止領域は、胸壁（２４）からなっている請求項２８に記載の容器。
【請求項３０】
停止領域は、支持レールの中における溝（７４〜７７）からなっている請求項２８に記載の容器。
【請求項３１】
基部（１２）は、側壁（１３〜１６）と一体であって、容器の中に積み重ねられたシート物を支持レールへ向けて付勢するように作用することのできるばねを設けるためにそこに弾性的に連結されている請求項２３〜３０のいずれか１つに記載の容器。
【請求項３２】
側壁は、折り畳み状構成に配置されている請求項２３〜３１のいずれか１つに記載の容器。
【請求項３３】
基部の上にプラテン（１８，２１）を含み、プラテンは、シート物の積み重ね束を受け入れるように構成されている請求項２３〜３２のいずれか１つに記載の容器。
【請求項３４】
一体に成形された請求項２３〜３３のいずれか１つに記載の容器。
【請求項３５】
プラスチック材料の中で一体に成形された請求項３４に記載の容器。
【請求項３６】
プラテンは、基部の上における別個の素子（２１）からなっている請求項３３に記載の容器。
【請求項３７】
プラテン（１８）は、基部と一体である請求項３３に記載の容器。
【請求項３８】
基部は、支持レールへ向けてそれぞれが弾性的に付勢された複数のプラテン部分（２１ａ，２１ｂ）を含んでいる請求項３３に記載の容器。
【請求項３９】
複数のそれは、一方を他方の内部に積み重ねることができる請求項２３〜３８のいずれか１つに記載の容器。
【請求項４０】
密閉部材（９）を含んでいる請求項２３〜３９のいずれか１つに記載の容器。
【請求項４１】
前記開口に封止された密閉部材を含んでいる請求項４０に記載の容器。
【請求項４２】
密閉部材は、その上にヒートシールされたものである請求項４１に記載の容器。
【請求項４３】
密閉部材は、シート物の取り出しを促進するためにそれに沿って実質的に引き裂くことのできる脆弱線（５３）を含んでいる請求項４０、４１または４２に記載の容器。
【請求項４４】
前記シート物（２）の積み重ね束を含んでいる請求項２３〜４３のいずれか１つに記載の容器。
【請求項４５】
シート物は、特性的な金銭的価値のある銀行券あるいは約束手形からなっている請求項４４に記載の容器。
【請求項４６】
シート物（５２）の前記積み重ね束に関連しているデータが密閉部材の表面に印字されている請求項４４または４５に記載の容器。
【請求項４７】
データは、密閉部材の内側表面に印字されている請求項４６に記載の容器。
【請求項４８】
ＲＦＩＤ装置が備わっている請求項２３〜４７のいずれか１つに記載の容器。
【請求項４９】
請求項２３〜４８のいずれか１つに記載の容器からシート物を取り出す装置であって、その開口の周縁の周りにおける同容器のための支持体（５６）と、基部（１２）へ力を加えてそれを開口（１１）へ向けて推進するとともに、側壁（１３〜１６）をつぶしかつシート物によって密閉部材（９）を破裂させて開放し、シート物を前記開口から容器の外へ出すためのラム（５８）とを含んでいる装置。
【請求項５０】
請求項２３〜４８のいずれか１つに記載の容器からシート物を取り出す方法であって、同容器の基部へ力を加えてそれを開口へ向けて推進するとともに、シート物によって密閉部材を破裂させて開放し、それらを前記開口から容器の外へ出すことを含んでいる方法。
【請求項５１】
特性的な金銭的価値のあるシート物の積み重ね束を容器の中にパッケージするパッケージ用装置であって、
容器の中に積み重ねられるシート物（２）を供給する排出口（８；８９）、
容器における開口（１１）がシート物を排出口から受け入れることができるように、容器を受け入れる連結機構（５，６；８８）、
シート物を排出口へ推進するとともに、シート物を前記開口を通して容器の中へ供給してその中に積み重ねる推進機構（３２，３３，３９〜４１）、および
容器の内部に積み重ねられたシート物を封止するために容器の前記開口の上に密閉部材（９）を封止する一方で前記連結機構によって保持される封止装置（５０）
を備えてなるパッケージ用装置。
【請求項５２】
封止装置（５０）は、直流加熱電流によって通電されるプリント回路ヒーター素子（６６，７０）を含んでいる請求項１〜２０のいずれか１つまたは請求項５１に記載の装置。
【請求項５３】
連結機構は、ヒンジ状フレーム（６）を含んでいる請求項１〜２０のいずれか１つまたは請求項５１に記載の装置。
【請求項５４】
連結機構は、スライド可能なフレーム（６）を含んでいる請求項１〜２０のいずれか１つまたは請求項５１に記載の装置。
【請求項５５】
プリント回路導電性トラックとしてのヒーター素子（７０）がその上に形成されたプリント回路基板（６６）を備えている低電圧ヒーター素子（５０）。
【発明の詳細な説明】
【技術分野】
【０００１】
この発明は、特性的な金銭的価値（attributable monetary value）のあるシート物、例えば銀行券あるいは約束手形のような有価証券のためのパッケージ用（packaging）装置および容器に関するものである。
【背景技術】
【０００２】
今までは、銀行券は銀行券計数機で計数されて積み重ね束に紙帯でくるまれていた。また、銀行券の積み重ね束を空気が排出されて密封される気密袋の中に詰めるために、真空包装機が使用されてきた。このようにしてパッケージされた銀行券は、個々の積み重ね束が抜き取られるおそれに遭うことなく容易に輸送することができる。しかしながら、真空包装機は、高価であるので、通常は大量の銀行券を処理するためにだけ使用される。
【発明の開示】
【発明が解決しようとする課題】
【０００３】
売買高がより少ない用途、例えば、小売業務においては、カセット積み重ねシステムが備わっている、われわれのＷＡＣＳ５（World Acceptor Cassette System）（ワールド・アクセプター・カセット・システム）型の紙幣・手形・バーコード付きチケット／クーポン受入機を使用することができる。カセットには、検認ずみの銀行券などを紙幣受入機から受け入れる金属箱が備わっている。カセットには、５００枚程度の市中に出回っている質の銀行券を保管することができる。カセットは、オペレーターによって取り出されて、例えば銀行へ銀行券をさらに転送するために、それが降ろされる安全な箇所まで運ぶことができる。このカセットシステムに関する問題は、それが輸送の間に開放されるおそれがあることと、抜き取りの危険にさらされることである。さらにまた、このカセットには、開放されたことおよび抜き取りが起きたことの即時表示部が設けられていない。
【課題を解決するための手段】
【０００４】
この発明の１つの観点によれば、特性的な金銭的価値のあるシート物の積み重ね束を容器の中にパッケージするパッケージ用装置であって、容器の中に積み重ねられるシート物を供給する排出口、容器における開口がシート物を排出口から受け入れることができるように、容器を受け入れる連結機構、シート物を排出口へ推進するとともに、シート物を前記開口を通して容器の中へ供給してその中に積み重ねる推進機構、および容器の内部に積み重ねられたシート物を封止してその封止された容器がこのパッケージ用装置の中にシート物をパッケージするためにそれを実質的に使用不能にしなければ開放することができないように、容器の前記開口の上に密閉部材を封止する一方で前記連結機構によって保持される封止装置を備えてなるパッケージ用装置が提供される。
【０００５】
別の観点では、この発明によれば、特性的な金銭的価値のあるシート物をパッケージする容器であって、シート物を受け入れる開口と、基部と、基部から開口へ向かって広がっている側壁と、開口の両側において側壁に連結された支持レールと、容器の中で積み重ねられたシート物を支持レールへ向けて付勢する、基部の中におけるばねとを備えてなり、使用の際に、シート物は、容器の中で積み重ね構成に置かれたときに弾性的に変形し、容器は、いったん開放されるとシート物を積み重ねるために再使用することができないよう、前記開口を覆ってそこに封止された密閉部材を受け入れるように構成されている容器が提供される。
【０００６】
従って、この発明によれば、銀行券のようなシート物は、封止された密閉部材が設けられた容器の中に積み重ねることができ、容器は、いったん開放されると、シート物をパッケージするために再使用することができない。従って、この容器によれば、内容物が不正処理されたかどうかのはっきりした表示がもたらされる。従って、この容器は、廃棄することができるとともに、比較的高価な商品である従来のカセットのように再使用のために返却する必要がない。
【０００７】
さらにまた、この発明によるパッケージ用装置には、容器の中へ供給されたシート物に関連のあるデータを印字するプリンターが含まれていてもよく、その印字は、密閉部材の側面の上へ、ただし封止が容器の内側においてされた後に行うことができる。これによって、シート物の枚数および金種に対応するデータを容器の内容物に確実に関連させることのできる不正防止用構成が提供される。
【０００８】
この発明には、容器からシート物を取り出す装置であって、その開口の周縁の周りにおける同容器のための支持体と、基部へ力を加えてそれを開口へ向けて推進するとともに、側壁をつぶしかつシート物によって密閉部材を破裂させて開放し、シート物を前記開口から容器の外へ出すためのラムとを含んでいる改良型装置もまた含まれている。
【発明を実施するための最良の形態】
【０００９】
この発明をいっそう充分に理解するために、その実施態様が、添付図面を参照しながら例示としてこれから説明される。
【００１０】
図面に示されたこの発明の実施例は銀行券をパッケージするためのものであり、この明細書で使用されたように、用語「銀行券」は、お金として使用するための要求に応じて持参人へ支払うことができる、とりわけ中央銀行あるいは他の政府機関からの約束手形を意味するとともに、「紙幣」としても、米国では「通貨」あるいは「為替手形」としても知られているものを意味する。
【００１１】
図１によれば、パッケージ用装置１が、個々の銀行券２を投入口３から受け入れるともにそれらを取り外し可能な容器４の中に積み重ねるように構成されている。パッケージ用装置１は、銀行券を容器４の中にパッケージしその後にレジ係の事務所のような遠隔場所へ輸送することができるように、小売店における販売場所、例えばスーパーマーケットにおける勘定カウンターに備え付けることができる。
【００１２】
パッケージ用装置１には、本体５と、容器４を受け入れるために本体に取り付けられたフレーム６とが備わっている。フレーム６は、この実施例では本体５にヒンジ留めされており、それが図１に示された閉鎖位置と図２に示された開放位置との間で動いて、容器４をフレームと本体との間で挿入することができるとともに取り外すことができる連結機構として作用する。容器４は、これ以降にいっそう詳しく説明する構成ではほぼ長方形であり、周縁にリップ７が備わっている。フレーム６によって、図１に示されたように容器４が突出する排出口８が画定されており、そのリップ７は本体５とフレーム６との間に挟まれている。
【００１３】
図３によれば、容器が銀行券２でいっぱいになると、封止用カード９の形態にある密閉部材が、本体５における第２投入口１０を通して挿入され、容器４の上にヒートシールされる。こうして、フレーム６が図２に示されたように開かれたときには、レジ係の事務所へ輸送する銀行券が収容されている封止容器が提供される。
【００１４】
図４によれば、容器４は、熱可塑性材料から一体成形品として製造されているとともに、ほぼ長方形の開口１１が備わっており、この開口は、リップ７と、基部１２と、基部から同開口およびリップ７まで延びる側壁１３，１４，１５，１６とによって境界が付けられている。側壁１３，１４，１５，１６は剛性をもたらすために波形にされている。
【００１５】
開口１１の寸法は、特定の金種の銀行券を挿入することができるように、また、側壁１４，１６が側壁１３，１５よりも長くなるように選定されている。
【００１６】
基部１２は、中央の基部支持領域１８と側壁１３〜１６との間に配置された波形部１７を含むように成形されている。この実施例では、基部支持領域１８は楕円形であるが、以下で明らかになるように他の形状も利用することができる。波形部１７は、銀行券が容器の中へ連続的に挿入されるときに基部支持領域１８を開口１１へ向けて付勢するための圧縮ばねとして作用する。
【００１７】
細長い城郭風の翼部１９，２０の形態にある支持レールが、容器４の長辺に沿ってリップ７にヒンジ状に連結されている。翼部１９，２０は、初めは図４に示された構成にあり、結果として、複数の容器４を、１つが他の１つの内部に配置されて、即時に使用するために容易に送られかつ販売場所でパッケージ用装置に隣接して保管することができるように、積み重ねることができる。
【００１８】
パッケージ用装置１の中で使用する容器４を用意するために、比較的剛性の長方形プラテン２１（図４には示されていないが、図８には図示されている）が、基部支持領域１８の上に配置される。プラテン２１には、協働する栓および栓受けによって基部支持領域１８へ連結される成形プラスチック部材が備わっていてもよく、または、プラテン２１は単に、厚紙かあるいは類似の材料からなり、基部支持領域１８の上に載る長方形片であってもよい。プラテン２１は、銀行券を支持するために容器４の側壁へ延びている。その後、翼部１９，２０は、図４に示された位置から矢印Ｘの方向に内方へ回動される。翼部１９，２０は、これ以降にいっそう詳しく説明するように、内方へ折り曲げられたときに案内レールとして作用し、銀行券は、開口１１を介して容器４の中へ挿入するために、それらに沿って通過することができる。
【００１９】
翼部１９は、図５にその初めの外方張り出し位置が示され、図６にその内方折り曲げ位置が示されている。翼部１９には主案内面２３が備わっており、主案内面２３には、胸壁２４、外側リップ２５、ヒンジ線２６、および主案内面２３をヒンジ線２６へ結合する連結面２７のもとになる一連の窪みが形成されている。
【００２０】
翼部１９，２０が矢印Ｘの方向に内方へ折り曲げられ、容器４がパッケージ用装置１の中へ挿入されると、連結面２７は、銀行券で満たされた後に、図７ｂに示された領域２８においてパッケージ用装置１によってリップ７へ溶着される。図７ａでは、翼部２０はその初めの外方張り出し位置で示されているが、容器の中には銀行券２がなく、かつ、ばね波形部１７はその初めの非圧縮状態で示されている。翼部１９（図７ａには示されていない）が翼部２０に類似した構成であることは理解されるであろう。図７ｂには、容器４が銀行券２の束２９で満たされたときの構成が図示されている。この状況では、プラテン２１は下方へ圧縮されて、銀行券の束２９を収容し、それによって容器４の基部において波形部１７を圧縮している。翼部１９は、胸壁２４が容器の内部において銀行券の束２９を保持するために下方へ垂れている停止領域をもたらすように、矢印Ｘの方向に内方へ回動され、領域２８においてリップ７へ溶着される。翼部２０（図７ｂには示されていない）が同じようにリップ７へ溶着されることは理解されるであろう。
【００２１】
パッケージ用装置１が容器を銀行券で満たす方法はこれからいっそう詳しく説明される。図８によれば、容器４がフレーム６の中に収容され、空であって銀行券を受け入れる用意がされているパッケージ用装置の断面図が示されている。容器４の翼部１９，２０は、図２に模式的に示された位置へ内方に折り曲げられ、この位置で、本体５とフレーム６との間に固締されている。
【００２２】
本体５には、第１投入口３から銀行券感知用ステーションＳを経てフレーム６における排出口８まで延びている投入通路３０が含まれている。銀行券２が第１投入口３の中へ挿入されると、それは、プリント回路基板３６に取り付けられた検証回路系３５に連結された、感知用ステーションＳにおける検証センサー構成体３４を越えて銀行券２を推進するための従動ローラー対３２，３３を作動させる光センサー３１によって検出される。検証センサー構成体３４および関連回路系３５は、米国特許第４，３４８，６５６号に記載されたわれわれのアルダック法（Ardac technology）に対応している。検証センサー構成体３４および回路系３５は、投入口３へ入る銀行券の受入可能性、枚数および金種を感知することができる。検証センサー構成体３４および関連回路系３５によって銀行券２が偽物ではなく真正の銀行券であると判定されると、銀行券２は従動ローラー対３２，３３によって排出口８へ向けて搬送される。そうでないときには、ローラー対３２，３３は、銀行券２が投入口３から放出されるように、逆向きに推進される。
【００２３】
銀行券２が受け入れ可能なものであると仮定すると、それはローラー３２，３３を通って銀行券推進機構へ送られるが、この銀行券推進機構にはこの実施例では、図９ａにいっそう明確に示されて銀行券の長手側縁に係合するとともにそれを排出口８に整合するように移動させる一対の駆動ベルト３７，３８が含まれている。ベルト３８をいっそう詳しく考察すると、それは、銀行券がベルト３７，３８によって引き出されるように、その主面が投入通路に沿って移動して排出口８と一線配置されるように、モーター４１によって矢印Ｙの方向に駆動されるプーリー３９，４０の間に延びている。
【００２４】
銀行券推進機構には、銀行券２を容器４の中へ運ぶようにベルト３７，３８の間における下方への移動のために取り付けられた剛性板の形態にあるプランジャー４２も含まれている。この目的のために、モーター４３が、楕円形カム４４，４５を破線で模式的に図示された駆動伝達系４６，４７によって駆動する。使用に際し、カム４４，４５は矢印Ｚ（図９ｂに示された）の方向に回転して、プランジャー４２を銀行券２とともに駆動し、銀行券が投入通路３０に沿って開口１１に到達すると、銀行券をその平面に対して垂直な方向に開口１１から容器４の中へ入れる。
【００２５】
この処理は、図９ａ〜図９ｄにいっそう詳しく示されている。図９ａによれば、銀行券２は、内方へ折り曲げられた翼部１９，２０の主案内面２３に沿って、ベルト３７，３８によって運ばれる。主案内面２３は、銀行券２の長手側縁を支持するためのレールとして作用する。銀行券がフレーム６における排出口８に整合すると、モーター４３が作動されて、図９ｂに示されたようにカム４４，４５が回転する。その結果、プランジャー４２は矢印Ｄの方向に下方へ移動し、ベルト３７，３８は、翼部１９，２０を越えて下方へ容器の中に移動する。銀行券の側縁２ａ，２ｂは変形し、それらは、プランジャー４２が胸壁２４を越えて下方へ移動すると主案内面２３から離脱し、また、全部の銀行券２は容器４の中へ移動する。カム４４，４５が引き続き回転すると、プランジャー４２および銀行券２は、ばね１７を圧縮し、それによって銀行券の側縁２ａ，２ｂが平坦に存在するとともに胸壁２４の下部に配置されることになるように、プラテン２１に対して下方へ推進される。
【００２６】
次いで、カム４４，４５は、図９ｃに示された次の銀行券２’に係合することのできるそれらの初期位置まで回転する。こうして、銀行券２は、容器４の中へ挿入されて、容器４の中で銀行券を保持するための停止領域として作用する胸壁２４に対するばね１７の圧縮力によって、その中に保持される。
【００２７】
銀行券は連続的に容器の中へ挿入されて、図９ｄに示された銀行券の束２９が形成されるが、一番上の銀行券は胸壁２４の下側に保持される。
【００２８】
図１０には、プラテン２１が下方へ移動した容器４の中における束２９が示されている。ばね１７の圧縮力によって、束２９は胸壁２４に対して上方へ付勢されて、銀行券が容器の内部で確実に保持される。
【００２９】
容器４がいっぱいになると、オペレーターは密閉部材９を第２投入口１０から挿入する。密閉部材９は、プラスチック材料から作られた光学的に透明あるいは半透明のシートからなっている。密閉部材９は、光センサー４８によって検出されて、駆動ベルト３７，３８と係合するようになりかつそれらによって推進され、先に説明した銀行券積み重ね処理の間における銀行券に類似した態様で排出口８と整合するようになるまで、銀行券のための投入通路３０の中へ延びる密閉部材入口通路４９に沿って移動する。こうして、密閉部材９は、容器４の入口１１を覆って配置されるようになり、ここで、密閉部材９の側縁は、容器の長辺における翼部１９，２０の主案内面２３を覆って、また、容器の短辺１３，１５におけるリップ７も覆って延びている。図９ｄに示されたように、このパッケージ用装置の本体６には電気ヒーター５０が含まれている。使用に際して、密閉部材９が容器の開口１１に整合するようになると、ヒーター５０は、密閉部材９を翼部１９，２０の上にヒートシールするために、また、翼部自体を容器のリム７の上に溶着するために、すなわち図７に示された溶着部２８を作るために、スイッチが入れられる。
【００３０】
図１０に示されたように、本体５には、密閉部材９の下側面にデータを印字するように作動することができ、密閉部材９が容器４の上に封止されたときに印字データが容器の内部にあり、それを操作することによる以外は印字データを変えることができないようにする印字ヘッド５１が含まれている。印字ヘッド５１は、通常は透明な密閉部材９を通して容器４の外側からデータを読むことができるよう鏡像に印字するために、作動することができる。回路系３５は、容器４の中で束２９に積み上げられた銀行券の枚数および金種に関するデータを照合するように作動することができ、このデータは、印字ヘッド５１を使用して密閉部材９の下側面に印字することができる。
【００３１】
容器４への密閉部材９の封止の後に、フレーム６は図２に示されたように開放することができ、また、封止された容器は、取り外して、別の場所、例えばレジ係の事務所へ輸送することができる。その結果としての束ねられた銀行券は、密閉部材９が容器４にその内容物を保護するためにヒートシールされているので、輸送の間に簡単に改竄することはできない。封止された容器４が開放されると、このことは容易に明らかになり、かつ、容器はパッケージ用装置の中で実質的に再使用することができない。こうして、不正行為のおそれは著しく減少する。また、密閉部材の内側における容器の内容物に対応しているデータの印字は、印字された標示を簡単に削り取るかさもなければ変更することができないことを意味している。
【００３２】
図１１〜図１４には、別個のプラテン２１が備わっていない容器４の修正版が図示されている。図４の容器では、銀行券の側縁が胸壁２４の下側面に確実に接するように銀行券が容器の中で積み重ねられたときに、プラテン２１によって、比較的柔軟な銀行券のための剛性支持がもたらされている。比較的剛性のプラテン２１がなければ、比較的柔軟な銀行券は、銀行券が胸壁２４の下側面に確実に保持されないように、ドーム状構成の中における基部支持領域１８およびばね領域１７の周りで湾曲しがちである。図１１〜図１４に示された容器の内部では、プラテンは、容器４の基部１２が備わった２つの部品２１ａ，２１ｂに一体に形成されている。図１１に示されたように、プラテン２１ａは、容器の内部において銀行券の束２９が比較的剛性のプラテン２１ａによって銀行券の幅全体にわたって支持されるように、実質的に容器４の幅全体に広がっている。プラテン２１ａの周りの波形領域１７ａによって、図１２に示された領域１７ａ’により付与される主圧縮力とばね効果をほとんどもたらさない長手部分１７ａ’ ’とがある一体型圧縮ばねがもたらされている。プラテン領域２１ｂは周囲の一体型ばね１７ｂに類似した態様に構成されている。
【００３３】
図１４には容器４が平面図で示されており、この容器４には、密閉部材９が翼部１９，２０とフランジ７との上にヒートシールされている。密閉部材９の下側面における印字データ５２は、図８に示された印字ヘッド５１によってその上に印字された。
【００３４】
密閉部材９には、容器４が銀行券で満たされたときにその開放を容易にするために脆弱線５３が含まれている。密閉部材９は、脆弱線５３に沿って密閉部材９が引き裂かれるように、その中央において手で下方へ押圧することができる。そうすると、内容物を取り出すことができる。
【００３５】
この発明によれば、容器４は、この容器がいったん開放されると、パッケージ用装置が密閉後に不正処理されたかどうかのはっきりした視覚的表示がもたらされるので、銀行券をパッケージ用装置１の中にパッケージするために再使用することができない、ということが理解されるであろう。さらにまた、開放されると、密閉部材９の上に印字されたデータは、容器４の内容物を確認するために使用することができる。
【００３６】
容器を開放する処理は、図１５および図１６に図示された装置によって自動化することができる。この装置によれば、容器４の内容物は、容器の開口１１に対応する寸法のある解放窓穴５７が含まれているプラットフォーム５６の下方における支持体５５に受けられたトレイ５４の中へ空けられる。使用に際して、容器４は、開口１１が解放窓穴５７と同じ広がりになるように上下が逆に配置される。容器４の側壁１３，１４，１５，１６をつぶすとともに銀行券の束２９を密閉部材９に押し付け、密閉部材９を脆弱線５３に沿って破裂させるために、ラム５８が充分な力で矢印Ｒの方向へ下方に操作される。ラム５８が矢印Ｒの方向へ引き続いて動くと、銀行券は、胸壁２４を越えて変形して、図１６に示されたように、印字された密閉部材９とともにトレイ５４の中へ落ちる。その後、トレイはこの装置から取り出すことができる。ラム５８は外され、容器４の残り部は廃棄される。
【００３７】
この発明における別の実施態様は、図１７に示されており、図１〜図３に示された実施例に全体として類似しているが、容器４がその基部に一体成形されたばね１７を含んでいなくて、代わりに、フレーム６の下側面に嵌まる外側装着用箱５９によってばね機能が果たされる。
【００３８】
容器４は、プラスチック材料で一体成形されているとともに、先に説明したように機能するほぼ長方形のリップ７および翼部１９，２０と、偏平な基部６４へ延びる折り畳み式の側壁６０，６１，６２，６３とがある。容器４は、このパッケージ用装置の中に、すなわち、先に説明したようにフレーム６の内部に、かつ、フレーム６の下側面に装着用箱５９が嵌まった状態に配置される。折り畳み式の側壁６０〜６３は、容器４の中に積み重ねられた銀行券に対してどのような重要なばね機能も示さない。代わりに、装着用箱５９には、圧縮ばね６６によって容器４の基部６４へ付勢されたプラテン６５が含まれており、銀行券がパッケージ用装置１によってその中に積み重ねられる。その後、密閉部材９が、先に説明したように入口１０から挿入されて容器４の上にヒートシールされる。封止された容器は次いで、フレーム６および装着用箱５９から取り外されて、安全条件の下で開放される遠隔場所へ輸送され、その後、その有用な機能が遂行されてもはやパッケージ用装置１から銀行券の束を受け入れることができなくなると、廃棄される。
【００３９】
図１８には、容器４を封止するヒーター５０がフレーム６に取り付けられた、この発明によるパッケージ用装置の別の実施態様が図示されている。ヒーター５０には、図１９にいっそう詳しく図示されて図１８に示された排出口８に対応している中央開口６７のあるほぼ長方形のプリント回路基板６６を含んでいるプリント回路コイルが備わっている。基板６６には、後に説明するように、容器のヒンジを受け入れる側縁移動止め６８が設けられている。基板６６の下側面６９は、図１８に示されたフレーム６に接着されているか、さもなければ取り付けられている。基板６６には、プリント回路軌道の両端に端子７１，７２のある長方形コイルとして構成されたプリント回路導線７０が設けられている。使用に際して、端子７１，７２は、図１０に示された回路系によってその供給が制御される直流加熱用電源へ接続される。例えば、導線７０によって設けられたコイルが４ワットと見積もられている１２ボルト型直流供給源を使用することができる。通電されると、プリント回路軌道７０は、長方形のリップ７および翼部１９，２０を軟化させるとともにとりわけ溶融させて、それらが互いに封止されるようにかつ密閉部材９にも封止されるようにする発熱体として作用する。１つの実施例では、ヒーター５０は約２００〜２２０℃の温度で作動する。容器４は例えば約２６０℃の融点があるポリプロピレンから作ることができ、また、密閉部材９は１４０〜１６０℃の融点があるポリエチレンから作ることができる。こうして、ヒーター５０は、密閉部材９を容器４の軟化されたレールの上に溶融させて、密閉部材９をその後に冷却されたときの位置に封止する。
【００４０】
ヒーター５０の基板６６は在来の繊維ガラスあるいは繊維強化紙から形成することができ、また、プリント回路コイルは在来のプリント回路製造方法によって形成されたＴｉ／Ｃｕ合金であってよい。基板６６の外面は、プリント回路コイル導線７０を保護するために、在来のはんだマスク層でコーティングされていてもよく、また、この発明によれば、このはんだマスク層は、封止された容器４および密閉部材９を加熱後に発熱体５０から外す離型剤として作用し、封止された容器４のパッケージ用装置からの取り外しを促進することがわかった。このはんだマスクには、エポキシアクリル樹脂、例えば、イタリア、ミラノのエルガ・ヨーロッパ・エスアールエル（Elga Europe Srl）によって供給されたＯＰＳＲ５６００Ｇ１０Ｓｅｒｉｅからなっていてもよい。この発熱体はプリント回路基板６６のシートから例えば打ち抜き加工によって切断することができ、また、中央から除去された部分は、図８に示された回路系３６のための基板として使用することができ、むだが防止される。
【００４１】
この構成への多くの修正は可能である。例えば、ヒーター５０はフレーム６に取り付ける代わりに本体５に取り付けてもよく、あるいは、そのようなヒーターは本体部材５およびフレーム６の両方に設けることができる。
【００４２】
容器４の別の実施例が図２０〜図２５に図示されている。この容器は、翼部１９，２０が図２０では開放され、図２１では閉鎖されており、また、密閉部材９が図２２では定位置に示されている。
【００４３】
図２０によれば、容器４は、積み重ね可能な、熱可塑性材料から一体成形品として製造されており、リップ７によって境界が付けられたほぼ長方形の開口１１、基部１２、この基部から開口１１およびリップ７へ延びる側壁１３，１４，１５および１６が備わっている。細長い翼部１９，２０は容器の長辺に沿ってリップ７へヒンジ状に連結されている。基部１２は、ほぼ長方形の中央基部支持領域１８と側壁１３〜１６との間に配置された波形部１７が含まれるように成形されている。先に説明したように、波形部１７は、銀行券が連続的に容器の中へ挿入されるときに基部支持領域１８を開口１１へ向けて付勢するための圧縮ばねとして作用する。
【００４４】
翼部１９，２０は、この容器の長辺１４，１６に沿ってリップ７から間隔を置いて配置された翼部１９，２０を保持する、ループ状であって間隔を置いて配置された個々のヒンジ領域７３によって、リップ７へ連結されている。先に説明したように胸壁を使用する代わりに、翼部１９，２０には、一対のほぼ平行な細長い溝領域７４，７５，７６，７７がそれぞれ設けられている。これらの溝領域は、積み重ねられた銀行券の端部が容器の中にあるときに突き当たる停止部として作用する。
【００４５】
銀行券を案内するために利用される主案内面２３は、図２１に示されたように、二対の溝領域７４，７５；７６，７７の間の連続面からなっている。
【００４６】
それぞれの翼部１９，２０には、図２１に示されたように、これらの翼部が閉鎖されたときに対応する窪み８２，８３，８４および８５の中へ圧入される密閉突起７８，７９，８０，８１が、両端に設けられている。
【００４７】
図２０および図２１に示された翼部における対の溝構成によって、積み重ねられた銀行券が容器の中に挿入されたときに突き当たるきわめて効果的な停止部がもたらされるということと、その結果、図２４に関連して説明されたようにプラテン２１を設ける必要がなくなり、また、基部支持領域１８がそのようなプラテンによることなく効果的に作用して積み重ねられた銀行券が溝領域７４〜７７の下側面に押し付けられるということとがわかった。
【００４８】
図２３は、図２１の一部の拡大図であって、閉鎖されたときの翼部２０を図示している。リップ７には、ヒンジ領域７３どうしの間の隆起部分７’と、窪み８２のそれぞれの側部における隆起部分７”とが備わっており、これらの領域におけるリップ７には、閉鎖された翼部２０の上面とほぼ同一の広がりがある。このようにして、密閉部材９が、図２４に図示されたようにそれぞれのヒンジ領域７３に重なり、かつ、密閉突起７８が窪み８２の中に挿入されると、ヒーター５０の作動によって、密閉部材９が翼部２０の上面の上とリップ７および隆起部分７’，７”の上との両方に直接、封止され、それによって不正防止用封止が作り出される。
【００４９】
再び図１８および図１９によれば、ヒーター素子５０における窪み６８がヒンジ領域７３を受け入れるように構成されているとともに窪み８２〜８５が容器をヒーター５０の上に面一に位置させる、ということはわかるであろう。
【００５０】
この発明によるパッケージ用装置の別の実施態様は、図２６〜図２９に図示されており、図２２および図２５に図示された容器４を使用することができる。図２６によれば、この装置は、スーパーマーケットおよび同様の販売店において使用するためのものであり、また、勘定カウンター箇所で現金箱の近傍でカウンターの下に配置することができる。この装置は、銀行券を容器４の中へ詰め込むとともに満たされた容器４に密閉部材９を封止するための機構が含まれているほぼ長方形の本体８６からなっている。この目的のために、ハウジング８６には、図８〜図１０に関して説明されたように、一般に機構および回路が含まれているが、銀行券２のための通路の構成と密閉部材９が容器４へ取り付けられる点とが異なっている。また、これからいっそう詳しく考察されるように、容器が連結されかつ本体８６から取り外される方式は先に説明された実施態様といくらか異なっている。
【００５１】
図２７によれば、ヒンジ状ドア８７は、スライド可能なトレイ８８をハウジング８９の外方へ引き出すことができるように、下方へ開放することができる。トレイ８８は、容器４をその翼部１９，２０が閉鎖された状態に挿入することのできるフレーム６として作用する。トレイ８８における長方形開口８９の形態にある排出口が、図２に示されたフレーム６に類似した方式で容器４を受け入れる。容器４は、図２７における開口８９の中に部分的に挿入されて示されている。完全に挿入されると、トレイは、容器４を本体８６の中に連結して銀行券で満たすために、本体８６およびドア８７の内方へ押し込むことができる。
【００５２】
本体８６には、図２８に示されたように、銀行券２を受け入れるための長穴３が含まれている。使用に際して、現金箱オペレーターが銀行券を長穴３の中へ挿入すると、それらは、検認されて、図８〜図１０に関連してすでに説明されたものとほぼ同様な機構によって、本体８６の内部において通路に沿って容器４の中へ搬送される。
【００５３】
容器４が銀行券でいっぱいになると、ドア８７が開放されて、容器４のための密閉部材９を挿入することのできる長穴１０が露出される。すると、図８〜図１０に関連して説明されたように、ヒーター装置によって、先に説明した方式で密閉部材９が容器４の上に封止される。その後、容器４は、図２７に図示されたようにトレイ８８を開放することによって、ハウジング８６から取り外すことができる。図２６に示された装置には、先に説明されたように、トレイ８８の上にあるいはハウジング８６の内部に取り付けることのできるプリント回路ヒーター５０が含まれていてもよい。
【００５４】
説明された実施態様の多くの修正および変更はこの発明の範囲の内部に収まっている。例えば、銀行券のパッケージについて説明されてきたが、バーコードが付けられていてもよい代用貨幣あるいはクーポン券、および割引計画あるいは他の販売促進計画で提供される割引券のような、特性的な金銭的価値のある他のシート物をこの発明によってパッケージすることができる。
【００５５】
さらに、印字ヘッド５１によって実施された印字に代えてあるいはそれに加えて、容器４あるいは密閉部材９の表面あるいは内部に高周波識別（ＲＦＩＤ）タグが含まれていてもよい。これはプリントコイルの形態にあってもよく、あるいは国際特許出願公開ＷＯ９９３５６１０号に記載されたような従来技術に知られたような他の技術を利用してもよい。参照はまた、１３．５６ＭＨｚの周波数帯において作動するＲＦＩＤタグの用途の細部についての国際規格ＩＳＯ１５６９３へも向けられる。このタグには少量のデータが含まれていてもよく、その場合には、人が銀行券をパッケージしている封止容器を施設から取ろうと試みるときにそのデータを高周波検出器の利用によって検出してアラームを作動させることができる。
【図面の簡単な説明】
【００５６】
【図１】図１は、使用の準備ができた状態に取り付けられた容器が備わっていて閉鎖状形態にある、この発明によるパッケージ用装置および関連の使い捨て容器の模式的斜視図である。
【図２】図２は、図１の図に対応しているが、この装置は使用に先立って容器を受け入れるために開放されている。
【図３】図３は、図１に対応しており、容器へ封入される密閉部材の挿入を示している。
【図４】図４は、容器の第１実施例の模式的斜視図である。
【図５】図５は、その支持レールの１つが開放位置にある、容器の一部切欠斜視図である。
【図６】図６は、図５に対応しているが、その支持レールは閉鎖位置にある。
【図７】図７ａは、その支持レールが開放位置にある、図５の線Ａ−Ａ’に沿った、空であるときの容器の一方側部の部分断面図である。  図７ｂは、その支持レールが開放位置にある、図５の線Ａ−Ａ’に沿った、空であるときの容器の他方側部の部分断面図である。
【図８】図８は、容器が空であるパッケージ用装置の図５に示された装置の縦断面図である。
【図９】図９ａ〜９ｄは、容器を満たすための推進機構の動作を図示している横断面におけるパッケージ用装置の図である。
【図１０】図１０は、図８に対応しているが、容器が満たされている。
【図１１】図１１は、容器の別の実施態様の横断面図である。
【図１２】図１２は、図１１に示された容器の縦断面図である。
【図１３】図１３は、図１１および図１２の容器における支持レールの斜視図である。
【図１４】図１４は、図１１および図１２に示された容器の平面図である。
【図１５】図１５は、使用の準備ができた、容器の中身を空にするための容器中身出し装置の断面図である。
【図１６】図１６は、使用後の中身出し装置の断面図である。
【図１７】図１７は、容器に一体型ばねのない、この発明における別の実施態様の模式的斜視図である。
【図１８】図１８は、プリント回路基板ヒーターの備わった、この発明によるパッケージ用装置における別の実施態様の模式的斜視図である。
【図１９】図１９は、図１８に示されたヒーターの拡大図である。
【図２０】図２０は、その翼部が開かれた容器における別の実施例の模式的斜視図である。
【図２１】図２１は、図２０に対応しており、その翼部が閉鎖されている。
【図２２】図２２は、密閉部材がそれに封止された図２０の容器を図示している。
【図２３】図２３は、図２１に対応している拡大図である。
【図２４】図２４は、密閉部材がそれに封止された図２０の容器のヒンジを図示している。
【図２５】図２５は、密閉部材が容器の上に封止されたときの密閉突片における１つの構成を図示している。
【図２６】図２６は、スーパーマーケットおよび同種の販売店で使用するのに適しているパッケージ用装置における別の実施態様の模式的斜視図である。
【図２７】図２７は、図２６の装置の中へ銀行券を受け入れるための容器の挿入あるいは交換を図示している。
【図２８】図２８は、図２６に示された装置の中への銀行券の挿入を図示している。
【図２９】図２９は、容器の上に封止される、図２６に示された装置の中への密閉部材の挿入を図示している。
【図１】
2007512192.tif 000003
【図２】
2007512192.tif 000004
【図３】
2007512192.tif 000005
【図４】
2007512192.tif 000006
【図５】
2007512192.tif 000007
【図６】
2007512192.tif 000008
【図７ａ】
2007512192.tif 000009
【図７ｂ】
2007512192.tif 000010
【図８】
2007512192.tif 000011
【図９】
2007512192.tif 000012
【図１０】
2007512192.tif 000013
【図１１】
2007512192.tif 000014
【図１２】
2007512192.tif 000015
【図１３】
2007512192.tif 000016
【図１４】
2007512192.tif 000017
【図１５】
2007512192.tif 000018
【図１６】
2007512192.tif 000019
【図１７】
2007512192.tif 000020
【図１８】
2007512192.tif 000021
【図１９】
2007512192.tif 000022
【図２０】
2007512192.tif 000023
【図２１】
2007512192.tif 000024
【図２２】
2007512192.tif 000025
【図２３】
2007512192.tif 000026
【図２４】
2007512192.tif 000027
【図２５】
2007512192.tif 000028
【図２６】
2007512192.tif 000029
【図２７】
2007512192.tif 000030
【図２８】
2007512192.tif 000031
【図２９】
2007512192.tif 000032
【国際調査報告】
2007512192.tif 000033
2007512192.tif 000034
2007512192.tif 000035
2007512192.tif 000036
2007512192.tif 000037